(57)【特許請求の範囲】
【請求項１】
缶胴の周縁と弾性シール材を有する缶底の周縁とをＵ字形溝を備えた缶胴受金型及び円カール金型により内巻状に巻締め固定する缶の製造方法において、両金型に形成せるＵ字形溝の一部に通常若しくはこれより浅いＵ字形溝を形成するとともに、他の残りのＵ字形溝をこれより深いＵ字形溝に形成した両金型を使用して全巻締めしたことを特徴とする缶容器の製造方法。
【請求項２】
請求項１記載の缶の製造方法において、通常若しくはこれより浅いＵ字形溝を複数個所に設けた両金型を使用して全巻締め形成したことを特徴したことを特徴とする缶容器の製造方法。
【発明の詳細な説明】
【０００１】
【発明の属する技術分野】
本発明は、缶容器の製造方法、詳しくは、内容物使用済の缶容器の缶底が容易に缶胴から分離することができる缶容器の製造方法に係る技術分野に属する。
【０００２】
【発明の技術的背景】
使用済みの缶容器は、押潰して偏平化し嵩ばりをなくした状態で資源リサイクル処理設備などに持込むとが有効なることは述べるまでもない。しかし、缶容器は、缶胴と缶底との強固な巻締めにより保形されているため、簡単に押潰し偏平化することはできず、このことから押潰さずにそのまま資源リサイクル処理設備に持込まれるため、リサイクル処理設備側としては膨大な広さの堆積スペースを確保する必要性に迫られるという課題があった。
【０００３】
【従来の技術】
このような課題を解決するために従来では、次に述べるような発明がなされている。即ち、缶胴の周縁と弾性シール材を有する缶底の周縁とを内巻状に巻締め固定する形式の缶容器において、缶底の周縁に切込みにより分割せる多数の起立姿勢の巻締め片を形成し、この各巻締め片を、缶胴の下部周縁に夫々独立的に巻締めしたものである。（特許第２８０７９７１号公報，特開平９−２７６９６３号公報参照）
【０００４】
【発明が解決しようとする課題】
このような缶容器にあっては、缶底の周縁に１個又は複数の起立姿勢の巻締め片を設け、これと缶胴周縁とを巻締状に巻締めるため、巻締め片の存在個所は強力な巻締め固定部が形成され、巻締め片の無い部分は弱く巻締めされるので、缶容器の使用後はこの弱い底部を強打することによって缶底は容易に缶胴から離れて両者を分解し、缶胴部は足踏操作などにより偏平に変形処理することが可能ではあるが、缶容器の製作時において、缶底に所要の巻締め片を形成することはその分構造が煩雑となる。
【０００５】
本発明の目的は、通常通りの缶胴と缶底を用いて巻締めするに当たり、部分的に通常の巻締めに要するＵ字形溝を用いるとともに、その他の部分を深いＵ字形溝を用いて缶底周縁部を巻締め固定することにより強弱の巻締め部を形成し、用済み後の缶胴と缶底の分離を容易とすることにある。
【０００６】
（削除）
【０００７】
（削除）
【０００８】
【課題を解決するための手段】
上記目的は、缶胴の周縁と弾性シール材を有する缶底の周縁とをＵ字形溝を備えた缶胴受金型及び内カール金型により内巻状に巻締め固定する缶の製造方法において、両金型に形成せるＵ字形溝の一部に通常若しくはこれより浅いＵ字形溝を形成するとともに、他の残りのＵ字形溝をこれより深いＵ字形溝に形成した両金型を使用して全巻締めしたことにより達成される。
【０００９】
上記目的は、請求項１記載の缶の製造方法において、通常若しくはこれより浅いＵ字形溝を複数個所に設けた両金型を使用して全巻締め形成したことにより達成される。
【００１０】
【発明の実施の形態】
次に、図面について本発明実施の形態について説明する。
【００１１】
本発明の主たる要旨は実施の形態（１）に示すように、缶胴１の周縁１ａと弾性シール材２を有する缶底３の周縁３ａとを内巻状に巻締め固定する形式の缶容体Ａにおいて、缶胴１に対する缶底３の全巻締め部の一部を通常若しくはこれより強い巻締め手段により巻締めした強巻締め部Ｘを形成し、他の残りの巻締め部をこれより弱い巻締め手段により巻締めした弱巻締め部Ｙに形成したものである。即ち、強巻締め部Ｘとは図２Ａに示すように、通常若しくはこれより強い巻締め手段により巻締め形成するとともに、残りの弱巻締め部Ｙを図２Ｂに示す如く、これより弱い巻締め手段により巻締め形成したものである。
【００１２】
強巻締め部Ｘと弱巻締め部Ｙを形成する手段としては、図３に示す缶容体Ａの製缶手段Ｂがある。製缶手段Ｂの構成は、缶容体Ａの上部となる巻締め用のＵ字形溝４ａを缶胴１の外周部に設けた外カール金型４の上部に、これより稍径小とし、かつ、上部に缶底３が乗載される円柱構造の缶胴受金型５が定位置に設けられる。この缶胴受金型５の上部には、缶胴１の周縁１ａと缶底３の周縁３ａ部を巻締めるための内カール金型６が上下動可能に設けられており、この内カール金型６の下面一部には、通常製缶用の深さを通常の浅く形成したＵ字形溝６ａが円形に形成されている。そして、通常製缶用の深さを有するＵ字形溝６ａの巻締め手段によれば、図３で示すように、一部が通常製缶用の深さをもつＵ字形溝５ａに対しては図２ａに示すような強巻締め部Ｘが施され、一方、このＵ字形溝５ａより深く形成した残りのＵ字形溝５ｂの巻締め手段では、巻締めに不足が生じることから図２ｂに示すような弱巻締め部Ｙが得られる。
【００１３】
この実施の形態（１）によれば、各図から明らかなように、缶容体Ａ内に生ずる強巻締め部Ｘは短く突出し、弱巻締め部Ｙの突出量は大きく形成され、Ｘ，Ｙ間には数ｍｍの段差が生じることから、強巻締め部Ｘの長さは缶径によりその長さは異なる。
【００１４】
実施の形態（２）を図面について述べると、図１に示す缶容体Ａにおける内巻締め部の突出量は強，弱巻締め部Ｘ，Ｙによって数等分され、強，弱巻締め部Ｘ，Ｙの境部はゆるやかな斜面によって形成されるとともに、前記長いＵ字形溝５ｂによって上方に突出形成された弱巻締め部Ｙの長さが強巻締め部Ｘより数ｍｍ上方に長く形成される。
【００１５】
図２ａ，ｂに示すように、図２ａに示す強巻締め部ＸのＵ字形溝５ａは通常若しくはそれより少し浅く突出形成されているため、通常手段の内カール金型６を、缶胴受５上に存在する缶胴１と缶底３の周縁１ａ，３ａからなる巻締め部に押上げ巻締めする時には、通常又はそれ以上の巻締めがなされその突出高さは低い。これに対して深いＵ字形溝５ｂによる巻締め手段は、図２ｂに示す如く弱い巻締め押圧となるためにその押圧度は弱いことから、その高さは高くなり、その差分だけ缶部の弱巻締め部Ｙは高く内方に突出する。
【００１６】
図４に示す本願発明の缶容体Ａの切断展開図に示すように、その表現は極端ではあるが、缶底部の巻締最低部には平らな底部が表現されるとともに、缶容器Ａの内部には強，弱巻締め部Ｘ，Ｙの突出量の差が明確に示されている。尚、本願発明の主旨は図示のものに特定されるものではない。
【００１７】
次に、実施の形態（３）に示すように、缶胴１の周縁１ａと弾性シール材２を有する缶底３の周縁３ａとを内巻状に巻締め固定する形式の缶容体Ａにおいて、缶胴１に対する缶底３の全巻締め部の一部を通常若しくはこれより強い巻締め手段により巻締めした強巻締め部Ｘを形成し、他の残りの巻締め部をこれより弱い巻締め手段により巻締めした弱巻締め部Ｙに形成したものである。即ち、強巻締め部Ｘとは図６Ａに示すように、通常若しくはこれより強い巻締め手段により巻締め形成するとともに、残りの弱巻締め部Ｙを図６Ｂに示す如く、これより弱い巻締め手段により巻締め形成したものである。
【００１８】
強巻締め部Ｘと弱巻締め部Ｙを形成する手段としては、図７に示す缶容体Ａの製缶手段Ｂがある。製缶手段Ｂの構成は、缶容体Ａの上部となる巻締め用のＵ字形溝４ａを外周部に設けた外カール金型４の上部に、これより稍径小とし、かつ、上部に缶底３が乗載される円柱構造の缶胴受金型５が定位置に設けられる。この缶胴受金型５の上部には缶底３を受けるＵ字形溝５ａが均等な深さで形成されているとともに、缶胴１の周縁１ａと缶底３の周縁３ａ部を巻締めるための内カール金型６が上下動可能に設けられており、この内カール金型６の下面一部には、通常製缶用の深さ若しくはこれより浅く形成したＵ字形溝６ａと、残りをこれより深いＵ字形溝６ｂが夫々形成されている。そして、通常製缶用の深さ若しくはこれより浅いＵ字形溝６ａの巻締め手段によれば図６ａに示すような強巻締め部Ｘが施され、一方、これより長尺としたＵ字形溝６ｂの巻締め手段では、巻締めに不足が生じることから図６ｂに示すような弱巻締め部Ｙが得られる。
【００１９】
この実施の形態（３）によれば、各図から明らかなように、缶容体Ａの下方に突出形成される強，弱巻締め部Ｘ，Ｙに数ｍｍの段差が生じることから、強巻締め部Ｘの長さは缶径によりその長さは異なる。
【００２０】
実施の形態（４）を図面について述べると、図５に示す缶容体Ａにおける内巻締め部の下方への突出量は強，弱巻締め部Ｘ，Ｙによって数等分され、強，弱巻締め部Ｘ，Ｙの境部は斜面によって形成されるとともに、前記長いＵ字形溝６ｂによって形成された弱巻締め部Ｙの長さが強巻締め部Ｘより数ｍｍ長く下方に形成される。
【００２１】
図６ａ，ｂに示すように、図６ａに示す強巻締め部ＸのＵ字形溝６ａは通常若しくはそれより少し浅く形成されているため、通常手段の内カール金型６を、缶胴受５上に存在する缶胴１と缶底３の周縁１ａ，３ａからなる巻締め部に押下巻締めする時には、通常又はそれ以上の巻締めがなされその高さは低い。これに対して深いＵ字形溝６ｂによる巻締め手段は、図６ｂに示す如く弱い巻締め押圧となるためにその押圧度は弱いことから、その高さは高くなり、その差分だけ缶部の巻締め部Ｙは高く下方に突出する。
【００２２】
図８に示す本願発明の缶容体Ａの切断展開図に示すように、その表現は極端ではあるが、缶底部の巻締め度には強，弱巻締め部Ｘ，Ｙが明確に示されている。
【００２３】
【発明の効果】
上述のように本発明の構成によれば、次のような効果が得られる。
【００２４】
（削除）
【００２５】
（削除）
【００２６】
請求項１によれば通常の製缶時において、缶胴受金型及び内カール金型の一部に通常若しくはこれより浅いＵ字形溝を形成し、他の残りのＵ字形溝をこれより深いＵ字形溝に形成することにより、全巻締め部の一部に強巻締め部を形成することができる。
【００２７】
請求項２によれば、浅いＵ字形溝を複数個所設け、例えばこれを等間隔毎に付設することにより、全巻締め部に対して等間隔毎に強巻締め部が形成された缶容体が得られる。
【図面の簡単な説明】
【図１】本願発明により得られた缶容体の一部切欠正面図である。
【図２】ａは図１のａ−ａ線の断面で、強巻締め部Ｘの断面図、ｂは図１のｂ−ｂ線の断面で、弱巻締め部Ｙの断面図である。
【図３】本願発明の缶製造装置を示す縦断正面図である。
【図４】缶容体の展開説明図である。
【図５】缶容体の斜視図である。
【図６】ａは図１のａ−ａ線の断面で、強巻締め部Ｘの断面図、ｂは図１のｂ−ｂ線の断面で、弱巻締め部Ｙの断面図である。
【図７】本願発明の缶製造装置を示す縦断正面図である。
【図８】缶容体の展開説明図である。
【符号の説明】
Ａ    缶容体
Ｂ    製缶手段
Ｘ    強巻締め部
Ｙ    弱巻締め部
１    缶胴
１ａ  周縁
２    弾性シール材
３    缶底
３ａ  周縁
４    外カール金型
４ａ  Ｕ字形溝
５    缶胴受
５ａ  浅いＵ字形溝
５ｂ  深いＵ字形溝
６    内カール金型
６ａ  浅いＵ字形溝
６ｂ  深いＵ字形溝
【図１】
0003554265.tif 000002
【図２】
0003554265.tif 000003
【図３】
0003554265.tif 000004
【図４】
0003554265.tif 000005
【図５】
0003554265.tif 000006
【図６】
0003554265.tif 000007
【図７】
0003554265.tif 000008
【図８】
0003554265.tif 000009